(57)【要約】【課題】居住者等の登録者の登録済み携帯電話から発行された解錠ライセンスを利用することにより、登録者以外の未登録携帯電話によって扉の解錠・施錠を実施することができる、携帯電話を利用した解錠・施錠システムを提供する。【解決手段】鍵・扉管理サーバ１０２は、扉１０３を介して登録済み携帯電話装置１０５又は第三者の未登録携帯電話装置１０５から固体識別ＩＤ及び解錠キーを受信すると、それらを照合する手段と、照合結果を扉１０３に送信する手段とを備え、扉１０３は、受信した照合結果が固体識別ＩＤ及び解錠キー共に一致する場合、扉の解錠を行なう手段と、固体識別ＩＤが一致せず、解錠キーが一致する場合、未登録携帯電話１０５に対し、パスワードの入力を要求し、受信したパスワードの照合が一致した場合は、扉の解錠を行う手段とを備える。【選択図】図１
2009257046.tif 000002
【特許請求の範囲】
【請求項１】
認証装置を備えた扉と、前記扉に通信自在に接続され、前記扉及びその鍵を管理する鍵・扉管理サーバと、前記扉に通信自在に接続されると共に、前記鍵・扉管理サーバに固体識別ＩＤを登録済みの登録済み携帯電話装置と、前記登録済み携帯電話装置に公衆回線を介して通信自在に接続されると共に、前記扉に通信自在に接続され、且つ、前記鍵・扉管理サーバに固体識別ＩＤが登録されていない未登録携帯電話装置とを備えた、携帯電話を利用した解錠・施錠システムであって、
前記登録済み携帯電話装置は、その利用者がワンタイムパスワードの有効期間及び解錠キーの送信先としての前記未登録携帯電話を指定すると、ワンタイムパスワード付きの解錠キーを自動生成する手段と、
生成したワンタイムパスワード付きの解錠キーを前記未登録携帯電話へ送信する手段と、
解錠キー送信成功の場合、前記扉宛てに前記ワンタイムパスワードを送信する手段と、
解錠キー送信の成功・失敗にかかわらず、ワンタイムパスワード発行操作の最後にワンタイムパスワードを破棄する手段とを備え、
前記鍵・扉管理サーバは、前記扉を介して前記登録済み携帯電話装置又は未登録携帯電話装置から固体識別ＩＤ及び解錠キーを受信すると、前記固体識別ＩＤ及び解錠キーをデータベースと照合する手段と、
照合結果を前記扉に送信する手段とを備え、
前記扉は、前記鍵・扉管理サーバから照合結果を受信する手段と、
照合結果が固体識別ＩＤ及び解錠キー共に一致する場合、扉の解錠を行なう手段と、
固体識別ＩＤが一致せず、解錠キーが一致する場合、前記未登録携帯電話に対し、パスワードの入力を要求する手段と、
前記未登録携帯電話からパスワードを受信すると、前記登録済み携帯電話装置から先に受信した前記ワンタイムパスワードとの照合を行う手段と、
パスワードの照合が一致した場合は、扉の解錠を行う手段とを備えることを特徴とする携帯電話を利用した解錠・施錠システム。
【発明の詳細な説明】
【技術分野】
【０００１】
本発明は、事前登録済み携帯電話から、他の未登録携帯電話へ解錠ラインセンスを発行し、発行された解錠ライセンスを利用し、未登録携帯電話を用いて扉の解錠・施錠を実施する、携帯電話を利用した解錠・施錠システムに関するものである。
【背景技術】
【０００２】
現在、オフィスビルの入館に関しては、ＩＤカードが用いられる等、セキュリティ意識の向上が図られている。しかしながら、一般家庭での自宅の出入りについては、未だに鍵やカードキー等が用いられており、紛失時の防犯が懸念される。
一方、携帯電話の普及により、一部のマンションでは携帯電話を利用した解錠・施錠システムを設置している場合があるが、その場合は、従来の鍵やカードキーとは異なり、登録者本人しか入室できない状況にある。
尚、本発明に関連する公知技術文献としては下記の特許文献１がある。特許文献１は、携帯電話機が基地局に対して自身の所在位置を通知する電波を開錠対象物の近傍で受信するアンテナと、受信した電波中に含まれる携帯電話機の識別子を抽出し、当該識別子が開錠用データベースに予め登録されているか否かを判定し、登録されていた場合、開錠装置に対して開錠指令信号を送出する開錠制御装置を備えたものである。
【特許文献１】特開２００６―２８７３６号公報
【発明の開示】
【発明が解決しようとする課題】
【０００３】
従来の携帯電話を利用した解錠・施錠システムに於いて、そのシステムを使用するには、実際に使用する携帯電話を事前に登録しておく必要があり、登録可能な利用者は居住者本人と同居の家族に限られる。
しかしながら、居住者本人が不在である場合の急な来客時、居住者本人もしくは同居の家族の帰宅を待たないと、入室できないという問題がある。
尚、特許文献１は、前記問題を解決するためのものではない。
【０００４】
以上の現状に鑑み、本発明は、居住者等の登録者の登録済み携帯電話から発行された解錠ライセンスを利用することにより、登録者以外の未登録携帯電話によって扉の解錠・施錠を実施することができる、携帯電話を利用した解錠・施錠システムを提供することを目的とする。
【課題を解決するための手段】
【０００５】
上記の課題を解決すべく、本発明は以下の構成を提供する。
請求項１に係る発明は、認証装置を備えた扉と、前記扉に通信自在に接続され、前記扉及びその鍵を管理する鍵・扉管理サーバと、前記扉に通信自在に接続されると共に、前記鍵・扉管理サーバに固体識別ＩＤを登録済みの登録済み携帯電話装置と、前記登録済み携帯電話装置に公衆回線を介して通信自在に接続されると共に、前記扉に通信自在に接続され、且つ、前記鍵・扉管理サーバに固体識別ＩＤが登録されていない未登録携帯電話装置とを備えた、携帯電話を利用した解錠・施錠システムであって、
前記登録済み携帯電話装置は、その利用者がワンタイムパスワードの有効期間及び解錠キーの送信先としての前記未登録携帯電話を指定すると、ワンタイムパスワード付きの解錠キーを自動生成する手段と、
生成したワンタイムパスワード付きの解錠キーを前記未登録携帯電話へ送信する手段と、
解錠キー送信成功の場合、前記扉宛てに前記ワンタイムパスワードを送信する手段と、
解錠キー送信の成功・失敗にかかわらず、ワンタイムパスワード発行操作の最後にワンタイムパスワードを破棄する手段とを備え、
前記鍵・扉管理サーバは、前記扉を介して前記登録済み携帯電話装置又は未登録携帯電話装置から固体識別ＩＤ及び解錠キーを受信すると、前記固体識別ＩＤ及び解錠キーをデータベースと照合する手段と、
照合結果を前記扉に送信する手段とを備え、
前記扉は、前記鍵・扉管理サーバから照合結果を受信する手段と、
照合結果が固体識別ＩＤ及び解錠キー共に一致する場合、扉の解錠を行なう手段と、
固体識別ＩＤが一致せず、解錠キーが一致する場合、前記未登録携帯電話に対し、パスワードの入力を要求する手段と、
前記未登録携帯電話からパスワードを受信すると、前記登録済み携帯電話装置から先に受信した前記ワンタイムパスワードとの照合を行う手段と、
パスワードの照合が一致した場合は、扉の解錠を行う手段とを備えることを特徴とする携帯電話を利用した解錠・施錠システムを提供するものである。
【発明の効果】
【０００６】
本発明の携帯電話を利用した解錠・施錠システムを利用することにより、次のような効果が得られる。
（１）居住者本人（事前登録済みの携帯電話を保持する利用者）以外の任意の第三者（未登録の携帯電話を保持する第三者）が居住者本人不在の場合も、居住者本人が発行した解錠ライセンス（解錠キー）を使用して、携帯電話を利用して扉を解錠・施錠することができる。
（２）居住者本人が解錠ライセンスを発行する際に付加するワンタイムパスワードを利用して、居住者本人以外の任意の第三者が安全に扉を解錠することができる。
【発明を実施するための最良の形態】
【０００７】
以下、実施例を示した図面を参照しつつ本発明の実施の形態を説明する。
図１は、本発明による携帯電話を利用した解錠・施錠システムの処理の概要を示すフロー図である。図１において、１０１は携帯電話を利用した解錠・施錠システムにおける鍵及び扉の管理者である鍵・扉管理者であり、１０２は鍵・扉管理者１０１が鍵及び扉を管理するために使用する鍵・扉管理サーバであり、１０３は認証装置を具備した扉であり、１０４は居住者本人が保持する携帯電話装置であり、１０５は居住者以外の第三者が保持する携帯電話装置である。
【０００８】
初期設定フェーズとして、鍵・扉管理サーバ１０２は扉（認証装置）１０３に対し、管理者識別ＩＤ及び扉識別ＩＤの設定を行う。
利用者登録フェーズとして、携帯電話（居住者）１０４は扉（認証装置）１０３を経由して、鍵・扉管理サーバ１０２に対し、利用者登録の要求を行い、鍵・扉管理者１０１は、鍵・扉管理者サーバ１０２に対し、解錠許可設定を行う。
解錠キー取得フェーズとして、携帯電話（居住者）１０４は鍵・扉管理サーバ１０２に解錠キーの生成要求を行い、鍵・扉管理サーバ１０２は携帯電話（居住者）１０４の利用者登録状況の検証を行い、解錠キーの生成及び送信を携帯電話（居住者）１０４に対して行う。
【０００９】
解錠キー発行フェーズとして、携帯電話（居住者）１０４はワンタイムパスワードの設定を扉（認証装置）１０３に対し行い、同時に携帯電話（第三者）１０５に対し、ワンタイムパスワード付きの解錠キーを送信する。
解錠認証フェーズとして、携帯電話（第三者）１０５は、扉（認証装置）１０３に対して、ワンタイムパスワード付の解錠キーを送信し、扉（認証装置）１０３は携帯電話から送信された解錠キーの検証を行い、検証結果が正常であればワンタイムパスワードの入力リクエストを携帯電話（第三者）１０５に対し送信する。
携帯電話（第三者）１０５は、ワンタイムパスワードを扉（認証装置）１０３に対して応答し、扉（認証装置）１０３は応答されたワンタイムパスワードの検証を行い、検証結果が正常であれば扉の解錠を行う。
解錠通知送信フェーズとして、扉（認証装置）１０３は扉の解錠と同時に、携帯電話（居住者）１０４及び携帯電話（第三者）１０５に対して解錠通知を送信する。
【００１０】
図２は、鍵・扉管理サーバ１０２のアプリケーションの構成図である。図２において、２０１は扉（認証装置）向けのアプリケーションであり、２０２は携帯電話向けのアプリケーションである。
鍵・扉管理者１０１は、鍵・扉管理サーバ１０２の識別ＩＤ設定アプリ２０３を起動し、住宅内のネットワークを経由して、扉に内蔵されているＩＣチップに扉識別ＩＤ及び管理者識別ＩＤを付与する。
【００１１】
居住者は携帯電話に予めインストールされた利用者登録アプリを利用して、携帯電話から解錠・施錠管理システム（本システムの全体を指す）の利用にあたり、初期登録を行う。
鍵・扉管理サーバ１０２は、扉に取り付けられた認証装置を経由し、住居内のネットワークを介して、携帯電話からの初期登録要求を受けて、解錠許可設定アプリ２０４を起動し、扉単位に利用者登録を行う。居住者が保持する携帯電話からの解錠キー取得のリクエストを受け、鍵・扉管理サーバ１０２は、解錠キー発行アプリ２０５中の利用者検証アプリ２０６を起動し、当該携帯電話が事前に利用者登録が完了しているかどうかを検証する。検証結果が正常の場合、解錠キー生成アプリ２０７は解錠キーの生成を行い、生成した解錠キーをリクエストを受けた携帯電話宛てに送信する。
【００１２】
図３は、扉（認証装置）１０３のアプリケーションの構成図である。図３において、３０１は鍵・扉管理サーバ向けのアプリケーションであり、３０２は携帯電話向けのアプリケーションである。
鍵・扉管理サーバ１０２から扉・管理者登録リクエストを受け、扉（認証装置）１０３は鍵・扉管理サーバ向けアプリ３０１の識別ＩＤ設定アプリ３０３を起動し、扉に内蔵されているＩＣチップに扉識別ＩＤ及び管理者識別ＩＤを登録する。
携帯電話からのパスワード設定リクエストを受け、扉（認証装置）はパスワード設定アプリ３０４を起動し、扉に内蔵されているＩＣチップにワンタイムパスワードを付与する。携帯電話からの解錠リクエストを受け、扉の認証装置は、解錠認証アプリ３０５中の利用者検証アプリ３０６を起動する。認証時の挙動については、住居者本人と住居者以外の第三者とでは異なる。
（１）居住者本人の場合（利用者登録済みの携帯電話の場合）
扉識別ＩＤ、管理者識別ＩＤ及び解錠キーの照合が完了した時点で、解錠が完了する。
（２）居住者以外の第三者の場合（利用者登録が未登録の携帯電話の場合）
ａ．扉識別ＩＤ、管理者識別ＩＤ及び解錠キーの照合が完了したら、次のステップへ進む。
ｂ．パスワード要求アプリ３０７を起動し、携帯電話へパスワード入力リクエストを要求し、居住者以外の第三者の携帯電話から応答されたワンタイムパスワードと、扉に内蔵されたＩＣチップに居住者より事前に設定されたパスワードとの照合を行う。
【００１３】
解錠認証アプリ３０５による解錠リクエストの認証が完了すると、扉に設置された認証装置は、続けて、解錠通知発行アプリ３０８を起動し、携帯電話へ解錠通知を発行する。なお、居住者本人と居住者以外の第三者とでは、挙動が異なる。
（１）居住者本人の場合（利用者登録済みの携帯電話の場合）
居住者本人の携帯電話へ解錠通知を送信する。
解錠通知は、携帯電話の画面を通して、即時に確認することが可能。
（２）居住者以外の第三者の場合（利用者登録が未登録の携帯電話の場合）
ａ．居住者本人以外の第三者の携帯電話へ解錠通知を送信する。
解錠通知は、携帯電話の画面を通して、即時に確認することが可能。
ｂ．居住者本人の携帯電話へ解錠通知を送信する。
解錠通知は、メールにて送信される。即時に確認することが可能。
【００１４】
図４は、携帯電話装置１０４及び１０５のアプリケーションの構成図である。図４において、４０１は鍵・扉管理サーバ向けのアプリケーションであり、４０２は携帯電話向けのアプリケーションであり、４０３は扉（認証装置）向けのアプリケーションである。
居住者は携帯電話に予めインストールされた初期設定アプリ４０４中の利用者登録アプリ４０５を利用して、携帯電話から解錠・施錠管理システム（本システムの全体を指す）の利用にあたり、鍵・扉管理サーバに対し初期登録を行う。利用者登録完了後、居住者は携帯電話の解錠キー取得アプリ４０６中の解錠キー要求アプリ４０７を起動して鍵・扉管理サーバにアクセスし、解錠キーの取得を行う。扉に取り付けられた認証装置から、住居内のネットワークを介して、鍵・扉管理サーバにアクセスして、扉ごとに取得する。
【００１５】
鍵・扉管理サーバにて生成された解錠キーを受信後、解錠キー展開アプリ４０８が、携帯電話に内蔵されたＩＣチップ上に解錠キーを展開する。
居住者は、居住者本人以外の携帯電話へ解錠キーを発行するため、携帯電話の解錠キー発行アプリ４０９からパスワード生成アプリ４１０を起動し、ワンタイムパスワードを生成する。パスワード生成後、扉（認証装置）向け解錠キー発行アプリ４１１のパスワード設定アプリ４１２は、扉に内蔵された無線通信モジュールと通信し、扉側のパスワード設定アプリを起動し、扉に内蔵されているＩＣチップにワンタイムパスワードを付与する。
【００１６】
居住者本人の携帯電話の解錠キー発行アプリ４０９中の解錠キー発行アプリ４１３は、指定した第三者の携帯電話と通信し、ワンタイムパスワード付きの解錠キーを発行する。
携帯電話の解錠認証アプリ４１４中の解錠キー送信アプリ４１５を起動し、扉（認証装置）１０３に対し、解錠リクエストを送信する。居住者以外の第三者の携帯電話は、扉（認証装置）１０３からのパスワード入力リクエストを受け、携帯電話は解錠認証アプリ４１４のパスワード応答アプリ４１６を起動して、ワンタイムパスワードの入力画面を表示する。居住者以外の第三者は携帯電話の画面よりワンタイムパスワードを入力し、扉（認証装置）１０３に送信する。扉（認証装置）１０３の認証が完了すると、扉（認証装置）１０３から居住者本人及び居住者以外の第三者の携帯電話宛てに解錠通知が送信され、携帯電話は解錠通知受信アプリ４１７を起動して、解錠通知を受信する。
【００１７】
以下、以上のように構成された解錠・施錠システムの動作を説明する。
図５は、初期設定時の処理の概要を示すフローチャートである。鍵・扉管理サーバに接続されたＰＣのブラウザ画面から、本システムの利用者の住居の識別ＩＤの検索を行い、データベースに管理者識別ＩＤ及び扉識別ＩＤが登録済みかどうかチェックする（ステップ５０１，５０２）。未登録の場合は、扉の認証端末に内蔵されたＩＣチップに、管理者識別ＩＤ及び扉識別ＩＤを設定し、同時にデータベースに管理者識別ＩＤ及び扉識別ＩＤの登録を行う（ステップ５０３）。
【００１８】
図６は、利用者登録時の処理の概要を示すフローチャートである。対象となる携帯電話を扉に設置された認証端末にかざし、扉に設置された認証端末から、住宅内ネットワーク経由で鍵・管理サーバにアクセスする（ステップ６０１）。データベースに当該携帯電話の固体識別ＩＤが登録済みかどうかチェックする（ステップ６０２，６０３）。未登録の場合は、データベースに当該携帯電話の固体識別ＩＤの登録を行う（ステップ６０４）。データベースの登録後、同時に、当該携帯電話へ解錠許可情報を送信し、携帯電話に内蔵されたＩＣチップに登録対象の扉の管理者ＩＤ及び扉識別ＩＤを設定する（ステップ６０５）。
【００１９】
図７は、解錠キー取得・生成の処理の概要を示すフローチャートである。鍵・扉管理サーバは、居住者が保持する携帯電話から解錠キーの取得要求を受け取り（ステップ７０１）、データベースに当該携帯電話の固体識別ＩＤが登録済みかどうかチェックする（ステップ７０２，７０３）。利用者登録済みでない場合は、エラー処理として、扉（認証装置）から利用者登録未完了の旨の警告メッセージを出力する（ステップ７０４）。利用者登録済みの場合、鍵・扉管理サーバにて解錠キーの生成を行い（ステップ７０５）、解錠キー取得要求を居住者の携帯電話に対し解錠キーを送信する（ステップ７０６）。居住者の携帯電話は、鍵・扉管理サーバ上で生成した解錠キーを受信し、携帯電話に内蔵されたＩＣチップに設定する（ステップ７０７）。
【００２０】
図８は、第三者向けのワンタイムパスワード発行時の処理の概要を示すフローチャートである。居住者は、利用者登録が完了している携帯電話を用いて、ワンタイムパスワードの発行操作を行い（ステップ８０１）、ワンタイムパスワードの有効期間（時間及び日数）及び解錠キーの送信先を指定して、ワンタイムパスワードを自動生成し（ステップ８０２）、第三者が保持する携帯電話へ生成したワンタイムパスワード付きの解錠キーを送信する（ステップ８０４）。解錠キー送信失敗の場合、エラー処理として、解錠キー送信失敗の旨の警告メッセージを住居者の携帯電話に出力する（ステップ８０５）。
解錠キー送信成功の場合、居住者の携帯電話は、扉（認証装置）宛てにワンタイムパスワードを送信し、設定済みの解錠キーに対してワンタイムパスワードを設定する（ステップ８０６）。居住者の携帯電話で生成したワンタイムパスワードは、解錠キー送信の成功・失敗にかかわらず、ワンタイムパスワード発行操作の最後に破棄される（ステップ８０７）。
【００２１】
図９は、解錠認証時の処理の概要を示すフローチャートである。携帯電話から鍵・扉管理サーバに対して解錠キーの送信を行い（ステップ９０１）、データベースに当該携帯電話の固体識別ＩＤが登録済みかどうかチェックする（ステップ９０２，９０３）。携帯電話が利用者登録済みの場合、ステップ９０４以降の居住者用の処理を行う。鍵・扉管理サーバのデータベース上の解錠キーと携帯電話の解錠キーとの照合を行い（ステップ９０４，９０５）、一致していない場合は解錠キーアンマッチの旨の警告メッセージを扉（認証装置）から出力し（ステップ９０６）、解錠キーが一致している場合は、扉の解錠を行う（ステップ９０７）。携帯電話が利用者登録済みでない場合は、ステップ９０８以降の第三者用の処理を行う。
【００２２】
鍵・扉管理サーバのデータベース上の解錠キーと携帯電話の解錠キーとの照合を行い（ステップ９０８，９０９）、一致していない場合は解錠キーアンマッチの旨の警告メッセージを扉（認証装置）から出力し（ステップ９１０）、解錠キーが一致している場合は、ステップ９１１以降のパスワード照合操作を行う。
居住者以外の第三者の携帯電話の場合、解錠キーの照合に加え、パスワードの照合が必要であるため、扉（認証装置）から携帯電話に対し、パスワードの入力を要求する（ステップ９１１）。携帯電話のパスワード入力画面からパスワードを入力し（ステップ９１２）、入力されたパスワードと扉（認証装置）に内蔵されたＩＣチップに設定されているパスワードとの照合を行う（ステップ９１３，９１４）。パスワードが一致していない場合は、パスワードアンマッチの旨の警告メッセージを扉（認証装置）から出力し（ステップ９１５）、パスワードが一致している場合は、扉の解錠を行う（ステップ９１６）。
【００２３】
図１０は、解錠通知発行時の処理の概要を示すフローチャートである。解錠操作が完了すると、扉に設置された認証装置は、解錠操作を行った携帯電話へ解錠通知を送信する（ステップ１００１）。また、解錠操作を行った携帯電話が住居者本人のものかどうかをチェックし（ステップ１００２）、利用者登録済みでない携帯電話である場合は、居住者の携帯電話宛てに解錠通知を送信する（ステップ１００３）。
【図面の簡単な説明】
【００２４】
【図１】本発明による携帯電話を利用した解錠・施錠システムの処理の概要を示すフロー図である。
【図２】本発明による鍵・扉管理サーバのアプリケーションの構成図である。
【図３】本発明による認証装置付き扉のアプリケーションの構成図である。
【図４】本発明による携帯電話装置のアプリケーションの構成図である。
【図５】本発明による初期設定時の処理の概要を示すフローチャートである。
【図６】本発明による利用者登録時の処理の概要を示すフローチャートである。
【図７】本発明による解錠キー取得・生成の処理の概要を示すフローチャートである。
【図８】本発明による第三者向けのワンタイムパスワード発行時の処理の概要を示すフローチャートである。
【図９】本発明による解錠認証時の処理の概要を示すフローチャートである。
【図１０】本発明による解錠通知発行時の処理の概要を示すフローチャートである。
【符号の説明】
【００２５】
１０１  鍵・扉管理者
１０２  鍵・扉管理サーバ
１０３  扉
１０４，１０５  携帯電話装置
【図１】
2009257046.tif 000003
【図２】
2009257046.tif 000004
【図３】
2009257046.tif 000005
【図４】
2009257046.tif 000006
【図５】
2009257046.tif 000007
【図６】
2009257046.tif 000008
【図７】
2009257046.tif 000009
【図８】
2009257046.tif 000010
【図９】
2009257046.tif 000011
【図１０】
2009257046.tif 000012